(57)【要約】【課題】  動画再生機能を持つ動画再生端末において、ビデオデコードに要する消費電力を低減することが可能な省電力機能付携帯用動画再生端末を提供する。【解決手段】  記憶部１０４、制御部１０５、ビデオデコード部１０８、テキストデコード部１１０、表示部１０９及び電源部１０２を有し、符号化されたビデオ情報及びテキスト情報が含まれるストリームを再生する携帯用動画再生端末１０１において、ビデオデコード部１０８でのビデオデコードの実行をｏｎとしｏｆｆとするビデオデコードｏｎ／ｏｆｆ機能１０７が付加されており、ストリームを再生する際、テキストデコード部１１０でのテキスト情報のデコードは行うが、ビデオデコード部１０８でのビデオ情報のデコードは行わない。【選択図】        図１
2005252375.tif 000002
【特許請求の範囲】
【請求項１】
記憶部、制御部、ビデオデコード部、テキストデコード部、表示部及び電源部を有し、符号化されたビデオ情報及びテキスト情報が含まれるストリームを再生する携帯用動画再生装置において、
前記ビデオデコード部でのビデオデコードの実行をｏｎとしｏｆｆとするビデオデコードｏｎ／ｏｆｆ機能が付加されており、前記ストリームを再生する際、前記制御部が前記ビデオデコードｏｎ／ｏｆｆ機能をｏｆｆに設定する制御を行うと、前記テキストデコード部でのテキスト情報のデコードは行うが、前記ビデオデコード部でのビデオ情報のデコードは行わないことを特徴とする携帯用動画再生装置。
【請求項２】
請求項１記載の携帯用動画再生装置において、
上記ビデオデコードｏｎ／ｏｆｆ機能がｏｆｆに設定されるとき、上記制御部は上記電源部から前記ビデオデコード部へ供給する電力供給を制限する制御を行うことを特徴とする携帯用動画再生装置。
【請求項３】
請求項１又は２記載の携帯用動画再生装置において、
入力部を有しており、上記ビデオデコード部でのビデオ情報のデコードが行われているストリームの再生途中に前記入力部からビデオデコード抑止モード割込みが起こると、上記制御部は上記ビデオデコードｏｎ／ｏｆｆ機能をｏｆｆに設定する制御を行い、前記ビデオデコード部でのビデオ情報のデコードは行わないことを特徴とする携帯用動画再生装置。
【請求項４】
請求項１又は２記載の携帯用動画再生装置において、
入力部を有しており、上記ビデオデコードｏｎ／ｏｆｆ機能がｏｆｆに設定され、上記ビデオデコード部でのビデオ情報のデコードを行わない状態でストリームが再生されている時に、前記入力部からの割込みに応じて、上記制御部は前記ビデオデコードｏｎ／ｏｆｆ機能をｏｎに設定する制御を行い、前記ビデオデコード部でのビデオ情報のデコードを行うことを特徴とする携帯用動画再生装置。
【請求項５】
請求項１から４のいずれか１項に記載の携帯用動画再生装置において、
利用者の操作を受けて、上記ビデオデコードｏｎ／ｏｆｆ機能を変更する機能の起動条件が事前に設定されることを特徴とする携帯用動画再生装置。
【請求項６】
請求項１から５のいずれか１項に記載の携帯用動画再生装置において、
利用者の操作を受けて電子メール機能を実施すると、上記制御部はビデオデコードｏｎ／ｏｆｆ機能をｏｆｆに設定する制御を行うことを特徴とする携帯用動画再生装置。
【請求項７】
請求項１から６のいずれか１項に記載の携帯用動画再生装置において、
上記電源部の容量残量少を検出すると、上記制御部はビデオデコードｏｎ／ｏｆｆ機能をｏｆｆに設定する制御を行うことを特徴とする携帯用動画再生装置。
【請求項８】
請求項１から７のいずれか１項に記載の携帯用動画再生装置において、
開閉できる筐体を閉じた際に発生する割り込みにより、上記制御部はビデオデコードｏｎ／ｏｆｆ機能をｏｆｆに設定する制御を行うことを特徴とする携帯用動画再生装置。
【請求項９】
請求項１から８のいずれか１項に記載の携帯用動画再生装置において、
ビデオデコードを抑止する機能に割り当てた任意のキーを押下した際に発生する割り込みにより、上記制御部はビデオデコードｏｎ／ｏｆｆ機能をｏｆｆに設定する制御を行うことを特徴とする携帯用動画再生装置。
【請求項１０】
請求項１から９のいずれか１項に記載の携帯用動画再生装置において、
ビデオデコード再開時に、ビデオデコードの対象となるフレームに対するデコード処理がそのフレームの符号化情報のみを元に復元できるフレームではない場合は、上記表示部にデコード後のビデオ画面を表示せずに、事前に設定してある画像もしくは文字列を表示することを特徴とする携帯用動画再生装置。
【請求項１１】
記憶部、制御部、ビデオデコード部、オーディオデコード部、テキストデコード部、表示部及び電源部を有し、符号化されたビデオ情報、オーディオ情報及びテキスト情報が含まれるストリームを再生する携帯用動画再生装置において、
前記オーディオコード部でのオーディオデコードの実行をｏｎとしｏｆｆとするオーディオデコードｏｎ／ｏｆｆ機能が付加されており、前記ストリームを再生する際、前記制御部が前記オーディオデコードｏｎ／ｏｆｆ機能をｏｆｆに設定する制御を行うと、前記ビデオデコード部とテキストデコード部でのビデオ情報とテキスト情報のデコードは行うが、前記オーディオデコード部でのオーディオ情報のデコードは行わないことを特徴とする携帯用動画再生装置。
【請求項１２】
記憶部、制御部、ビデオデコード部、オーディオデコード部、テキストデコード部、表示部及び電源部を有し、符号化されたビデオ情報、オーディオ情報及びテキスト情報が含まれるストリームを再生する携帯用動画再生装置において、
前記ビデオデコード部及びオーディオデコード部でのビデオデコード及びオーディオデコード部の実行をｏｎとしｏｆｆとするビデオデコード等ｏｎ／ｏｆｆ機能が付加されており、前記ストリームを再生する際、前記制御部が前記ビデオデコード等ｏｎ／ｏｆｆ機能をｏｆｆに設定する制御を行うと、前記テキストデコード部でのテキスト情報のデコードは行うが、前記ビデオデコード部及びオーディオデコード部でのビデオ情報及びオーディオ情報のデコードは行わないことを特徴とする携帯用動画再生装置。
【発明の詳細な説明】
【技術分野】
【０００１】
本発明は、携帯用動画再生装置であり、特に動画再生時の省電力化を可能とした省電力機能付携帯用動画再生装置に関するものである。
【背景技術】
【０００２】
動画再生端末では、オーディオ情報とビデオ情報を保持する際には、メモリ量を削減するために各々符号化され、一つのストリームとするためにＭＵＸ処理されている。従来の動画再生端末では、筐体が折りたためるフリップタイプの場合は、動画再生中に筐体を閉じるとバックライトが消灯し、液晶部へのビデオ出力を停止することにより、消費電力を軽減するものがある。なお、その際には、オーディオ情報のデコードは行い、スピーカーからは音が出力されている。また、符号化されたビデオ情報やオーディオ情報などから成るストリームにおいて、各々の各符号化情報を復号する各デコーダを、動作を必要としない期間はスタンバイ状態にして、復号化装置の消費電力を低減するものもある（例えば、特許文献１〜３参照）。
【特許文献１】特開２０００−８２２６１号公報（第１図）
【特許文献２】特開２００１−１５９８８９号公報
【特許文献３】特開２００２−２７１４５号公報
【発明の開示】
【発明が解決しようとする課題】
【０００３】
従来の動画再生端末では、ビデオ情報が存在する場合はビデオデコードを行っており、また、ビデオ情報が存在しない場合には、不必要な待機電力を抑制し、復号化装置全体の消費電力を低減している。従って、ビデオ情報が存在する場合に、ビデオ情報のデコードのみを行わないことによる消費電力の低減を図るものではなかった。また、テキスト情報を含むケースを考慮していなかった。
【課題を解決するための手段】
【０００４】
上記課題を解決するため、本発明の省電力機能付携帯用動画再生装置は、記憶部と制御部とビデオデコードｏｎ／ｏｆｆ機能（手段）とビデオデコード部と表示部と電源部等を有し、符号化されたビデオ情報が含まれるストリームを再生する際、ビデオデコード部ｏｎ／ｏｆｆ機能をｏｆｆに設定することにより、ビデオ情報のデコードを行わないことを特徴としている。また、ビデオデコードｏｎ／ｏｆｆ機能を変更する機能の起動条件は、動画再生端末利用者が事前に設定でき、消費電力を低減するためにデコードをｏｆｆする情報の種類は、ビデオ情報に加えて、オーディオ情報やテキスト情報も対象であることを特徴としている。
【０００５】
すなわち、本発明は、記憶部、制御部、ビデオデコード部、テキストデコード部、表示部及び電源部を有し、符号化されたビデオ情報及びテキスト情報が含まれるストリームを再生する携帯用動画再生装置において、前記ビデオデコード部でのビデオデコードの実行をｏｎとしｏｆｆとするビデオデコードｏｎ／ｏｆｆ機能が付加されており、前記ストリームを再生する際、前記制御部が前記ビデオデコードｏｎ／ｏｆｆ機能をｏｆｆに設定する制御を行うと、前記テキストデコード部でのテキスト情報のデコードは行うが、前記ビデオデコード部でのビデオ情報のデコードは行わない携帯用動画再生装置である。
【０００６】
また、本発明は、上記ビデオデコードｏｎ／ｏｆｆ機能がｏｆｆに設定されるとき、上記制御部は上記電源部から前記ビデオデコード部へ供給する電力供給を制限する制御を行う携帯用動画再生装置である。
【０００７】
そして、本発明は、入力部を有しており、上記ビデオデコード部でのビデオ情報のデコードが行われているストリームの再生途中に前記入力部からビデオデコード抑止モード割込みが起こると、上記制御部は上記ビデオデコードｏｎ／ｏｆｆ機能をｏｆｆに設定する制御を行い、前記ビデオデコード部でのビデオ情報のデコードは行わない携帯用動画再生装置である。
【０００８】
更に、本発明は、入力部を有しており、上記ビデオデコードｏｎ／ｏｆｆ機能がｏｆｆに設定され、上記ビデオデコード部でのビデオ情報のデコードを行わない状態でストリームが再生されている時に、前記入力部からの割込みに応じて、上記制御部は前記ビデオデコードｏｎ／ｏｆｆ機能をｏｎに設定する制御を行い、前記ビデオデコード部でのビデオ情報のデコードを行う携帯用動画再生装置である。
【０００９】
また、本発明は、利用者の操作を受けて、上記ビデオデコードｏｎ／ｏｆｆ機能を変更する機能の起動条件が事前に設定される携帯用動画再生装置である。
【００１０】
そして、本発明は、利用者の操作を受けて電子メール機能を実施すると、上記制御部はビデオデコードｏｎ／ｏｆｆ機能をｏｆｆに設定する制御を行う携帯用動画再生装置である。
【００１１】
更に、本発明は、上記電源部の容量残量少を検出すると、上記制御部はビデオデコードｏｎ／ｏｆｆ機能をｏｆｆに設定する制御を行う携帯用動画再生装置である。
【００１２】
また、本発明は、開閉できる筐体を閉じた際に発生する割り込みにより、上記制御部はビデオデコードｏｎ／ｏｆｆ機能をｏｆｆに設定する制御を行う携帯用動画再生装置である。
【００１３】
そして、本発明は、ビデオデコードを抑止する機能に割り当てた任意のキーを押下した際に発生する割り込みにより、上記制御部はビデオデコードｏｎ／ｏｆｆ機能をｏｆｆに設定する制御を行う携帯用動画再生装置である。
【００１４】
更に、本発明は、ビデオデコード再開時に、ビデオデコードの対象となるフレームに対するデコード処理がそのフレームの符号化情報のみを元に復元できるフレームではない場合は、上記表示部にデコード後のビデオ画面を表示せずに、事前に設定してある画像もしくは文字列を表示する携帯用動画再生装置である。
【００１５】
また、本発明は、記憶部、制御部、ビデオデコード部、オーディオデコード部、テキストデコード部、表示部及び電源部を有し、符号化されたビデオ情報、オーディオ情報及びテキスト情報が含まれるストリームを再生する携帯用動画再生装置において、前記オーディオコード部でのオーディオデコードの実行をｏｎとしｏｆｆとするオーディオデコードｏｎ／ｏｆｆ機能が付加されており、前記ストリームを再生する際、前記制御部が前記オーディオデコードｏｎ／ｏｆｆ機能をｏｆｆに設定する制御を行うと、前記ビデオデコード部とテキストデコード部でのビデオ情報とテキスト情報のデコードは行うが、前記オーディオデコード部でのオーディオ情報のデコードは行わない携帯用動画再生装置である。
【００１６】
そして、本発明は、記憶部、制御部、ビデオデコード部、オーディオデコード部、テキストデコード部、表示部及び電源部を有し、符号化されたビデオ情報、オーディオ情報及びテキスト情報が含まれるストリームを再生する携帯用動画再生装置において、前記ビデオデコード部及びオーディオデコード部でのビデオデコード及びオーディオデコード部の実行をｏｎとしｏｆｆとするビデオデコード等ｏｎ／ｏｆｆ機能が付加されており、前記ストリームを再生する際、前記制御部が前記ビデオデコード等ｏｎ／ｏｆｆ機能をｏｆｆに設定する制御を行うと、前記テキストデコード部でのテキスト情報のデコードは行うが、前記ビデオデコード部及びオーディオデコード部でのビデオ情報及びオーディオ情報のデコードは行わない携帯用動画再生装置である。
【発明の効果】
【００１７】
本発明により、消費電力の低減を図り、ユーザの使い勝手を向上可能な携帯用動画再生装置を提供することができる。
【発明を実施するための最良の形態】
【００１８】
本発明を実施するための最良の形態を説明する。
以下、図面を参照しながら、本発明の省電力機能付携帯用動画再生装置の実施例について詳しく説明する。図１は、実施例１における動画再生端末のブロック図である。図２は、実施例２における動画再生端末のブロック図である。図３は、デコード種類毎の消費電力模式図である。図４は、実施例３における各ブロック毎の処理フローの一例の説明図である。図５は、実施例４における表示部での表示の一例の説明図である。図６は、実施例５における各ブロック毎の処理状況の一例の説明図である。図７は、実施例６における動画再生端末のブロック図である。
【実施例１】
【００１９】
実施例１を説明する。図１から図３を用いて、本実施例の動画再生機能を持つ動画再生端末において、再生する符号化ストリーム中にビデオ情報が存在する場合に、ビデオのデコード処理は行わないことにより、ビデオデコードに要する消費電力を低減する第一の実施例について説明する。
【００２０】
図１は本発明の機能を実現する動画再生端末１０１であり、動画再生端末１０１内の各ブロックに電力を供給する電源部１０２、キー部を含む筐体開閉など本発明機能のｏｎ／ｏｆｆ制御の割り込みが発生する入力部１０３、再生させたいストリームやプログラムコードなどが格納されている記憶部１０４、入力部１０３からの割り込みを判断しビデオデコードの制御などを行う制御部１０５、符号化されたオーディオ情報やビデオ情報やテキスト情報がＭＵＸ処理されたストリームに対して、符号化されたオーディオ情報と、符号化されたビデオ情報と、符号化されたテキスト情報に分離を行うＤＥＭＵＸ部１０６、符号化されたビデオ情報に対するデコードのｏｎ／ｏｆｆを切り換えるデコードｏｎ／ｏｆｆ機能１０７、ＤＥＭＵＸ部１０６で得られた符号化されたビデオ情報を復号するビデオデコード部１０８、ビデオデコード部１０８で復号されたビデオ情報や、電池マークなどを表示する表示部１０９、ＤＥＭＵＸ部１０６で得られた符号化されたテキスト情報を復号するテキストデコード部１１０、ＤＥＭＵＸ部１０６で得られた符号化されたオーディオ情報を復号するオーディオデコード部１１１、オーディオデコード部１１１で復号されたオーディオ情報を出力するスピーカーやヘッドホンやイヤホンなどで構成された音出力部１１２である。電源部１０２は電池で構成している。
【００２１】
まず、記憶部１０４には、符号化されたオーディオ情報やビデオ情報やテキスト情報がＭＵＸ処理されたストリームが保持してある。入力部１０３から制御部１０５へ、ストリームを指定し再生する入力が行われると、制御部１０５は前記指定されたストリームをＤＥＭＵＸ部１０６に渡し、符号化されたオーディオ情報と、符号化されたビデオ情報と、符号化されたテキスト情報を得る。デコードｏｎ／ｏｆｆ機能１０７は、入力部１０３からの様々な入力に対して制御部１０５が判断し、ｏｎとｏｆｆを切り換えることが可能であり、デコードｏｎ／ｏｆｆ機能１０７がｏｎの場合には、符号化されたビデオ情報はビデオデコード部１０８に渡され復号され再生可能なビデオ画面となり制御部１０５に渡される。ここで、デコードｏｎ／ｏｆｆ機能１０７がｏｆｆの場合には、再生を行いたいストリーム中にビデオ情報が存在する場合でも、ビデオデコードは行われず、ビデオデコードに要する消費電力を低減することができる。
【００２２】
また、デコードｏｎ／ｏｆｆ機能１０７の状態に関わらず、符号化されたテキスト情報は、制御部１０５からテキストデコード部１１０へ渡され復号され、制御部１０５へ渡される。ここで、デコードｏｎ／ｏｆｆ機能１０７がｏｎの場合には、ビデオデコード部で復号されたビデオデータと、前記復号されたビデオ情報は、制御部１０５で合成され、一枚の画像として表示部１０９から表示される。一方、復号されたオーディオ情報は、オーディオデコード部１１１で復号され、制御部１０５に渡される。その後、復号されたオーディオ情報は、制御部１０５から音出力部１１２へ渡され、出力される。
【００２３】
なお、上記ビデオデコードが行われず、消費電力が省かれている様子を、デコード種類毎の消費電力模式図（図３）を用いて説明する。図３はデコード種類に応じた消費電力の模式図であり、縦軸が消費電力の大小、横軸がデコード種類を示している。上述した如く、再生するストリームに符号化されたオーディオ情報やビデオ情報やテキスト情報がＭＵＸされている場合、ビデオ情報とオーディオ情報とテキスト情報の各々をデコードした場合には、３０１の如く消費電力は大きくなる。そこで、図１におけるビデオデコードｏｎ／ｏｆｆ機能１０７をｏｆｆにした場合には、符号化されたビデオ情報のデコードを抑止するので、ビデオデコードに要する消費電力を低減することができるため、図３の３０２の如く、３０１よりも消費電力は小さくなっている。
【００２４】
上述ではビデオ情報のビデオデコードの有無のみ説明しているが、ビデオ情報のビデオデコード抑止に加え、オーディオ情報のオーディオデコードを抑止しても良い。その場合には、符号化されたビデオ情報及びオーディオ情報のデコードを抑止するので、ビデオデコード処理及びオーディオデコード処理が行われなくなり、図３の３０３の如く、更に消費電力が小さくなっている。このようにデコードする情報を制限することにより、消費電力を更に小さくすることが可能になり、例えば交通機関、図書館、レストラン等の静粛が求められる場所において、映像のうちのテキスト情報のみ見たい場合等に使用できる。
【００２５】
上述の通り、本実施例により、動画再生機能を持つ動画再生端末において、再生する符号化ストリーム中にビデオ情報が存在する場合でも、ビデオ情報のデコード処理は行わないことにより、ビデオデコードに要する消費電力を低減、例えば約３割、することが可能となる。
【実施例２】
【００２６】
実施例２を説明する。上述した各々のブロック構成は適宜変更することも可能である。図１と、若干のブロック構成を変更して得られるブロック図（図２）を用いて、本発明の機能を実現する第二の実施例を説明する。
【００２７】
図２は本発明の機能を実現する動画再生端末２０１であり、動画再生端末２０１内の各ブロックに電力を供給する電源部２０２、入力部からの割り込みを判断しビデオデコードの制御などを行う制御部２０５、符号化されたオーディオ情報やビデオ情報やテキスト情報がＭＵＸ処理され、一つのデータとなったストリームに対して、符号化されたオーディオ情報と、符号化されたビデオ情報と、符号化されたテキスト情報に分離を行い、符号化された各々の情報を各々のデコード部へ渡すＤＥＭＵＸ部２０６、符号化されたビデオ情報に対するデコードのｏｎ／ｏｆｆを切りかえるデコードｏｎ／ｏｆｆ機能２０７、ＤＥＭＵＸ部２０６で得られた符号化されたテキスト情報を復号するテキストデコード部２１０、ＤＥＭＵＸ部２０６で得られた符号化されたオーディオ情報を復号するオーディオデコード部２１１、ビデオデコード部１０８で復号されたビデオ情報と、制御部２０５から得られる電池マークなどの制御部画像情報と、テキストデコード部２１０で復号されたテキスト情報とを合成し、画像として表示部１０９へ渡す画像合成部２１３、オーディオデコード部２１１で復号されたオーディオ情報と、制御部２０５から得られるキータッチ音などの制御部音声情報を合成し音出力部１１２へ渡す音合成部２１４を有している。それ以外は図１で説明したブロックと同様のブロックである。
【００２８】
図２のように構成しても、デコードｏｎ／ｏｆｆ機能２０７がｏｆｆの場合には、再生を行いたいストリーム中にビデオ情報が存在する場合でも、ビデオデコードは行われず、ビデオデコードに要する消費電力を低減することができる。
【実施例３】
【００２９】
実施例３を説明する。図２及び図４を用いて動画再生途中でビデオ情報のデコードのｏｎ／ｏｆｆ制御を可能とする第三の実施例について説明する。図４は本実施例の機能を示す各々のブロック毎の処理フロー図であり、入力部４０１、制御部４０２、オーディオデコード部４０３、ビデオデコード部４０４、ＤＥＭＵＸ処理部４０５は、各々、図２の入力部１０３、制御部２０５、オーディオデコード部２１１、ビデオデコード部１０８、ＤＥＭＵＸ処理部２０６を示している。
【００３０】
まず、符号化されたオーディオ情報、ビデオ情報及びテキスト情報がＭＵＸされているストリームを再生する際に、符号化されたビデオ情報のデコード処理を抑止しない場合を説明する。制御部４０２から上記ストリームがＤＥＭＵＸ部４０５へ渡され（４０６）、ＤＥＭＵＸ処理され符号化されたオーディオ情報とビデオ情報に分離される（処理４０７）。次に、符号化されたオーディオ情報は、ＤＥＭＵＸ部４０５からオーディオデコード部４０３へ渡され（４０８）、オーディオデコードが行われる（処理４０９）。復号されたオーディオ情報は音出力部へ渡され音データとして出力される（処理４１０）。なお、図示していないが、テキスト情報も分離され、テキストデコード部でデコードが行われる。また、処理４０７にて得られた符号化されたビデオ情報は、ＤＥＭＵＸ部４０５からビデオデコード部４０４へ渡され（４１１）、ビデオデコードが行われる（処理４１２）。復号されたビデオ情報は表示部へ渡され、復号されたテキスト情報とともに、画像データとして出力される（処理４１３）。
【００３１】
通常のビデオ情報をデコードする場合は、上記のフローを繰り返しつつ、オーディオ情報、ビデオ情報及びテキスト情報の再生を行っている。その状況下で、ビデオデコード抑止モードの割り込みが発生すると、再生途中でのデコードｏｎ／ｏｆｆ制御が可能となる。割り込みの種類としては何でも良いが、筐体が開閉できる動画再生端末における筐体を閉じた際に発生する割り込みでも良いし、ビデオデコードを抑止する機能に割り当てた任意のキーを押下した際に発生する割り込みでも良い。また、利用者が操作して電子メール機能（メール作成・送信、メール再生等）を実施するとき、電源部の容量残量小を検出したとき等でも良い。
【００３２】
筐体が開閉できる動画再生端末としては、折畳式携帯電話機が知られており、閉じたときはビデオデコードオフ、オーディオデコードオンとするとともに、開いたときはビデオデコードオン、オーディオデコードオンとするために、例えば開閉を検知する機構を設け、開閉の検知を受けて割り込みを発生するようにすることができる。
【００３３】
上述したビデオデコード抑止モードの割り込みが、入力部４０１から制御部４０２へ渡されると（４１４）、まず、デコード停止命令が制御部４０２からビデオデコード部４０４へ渡され（４２０）、ビデオデコード部４０４ではビデオデコードの停止（処理４２１）及び表示の中止処理（処理４２２）が行われる。次に上述したストリームの該当するデータとビデオデコード抑止指定が制御部４０２からＤＥＭＵＸ部４０５へ送られる（４１５）。ＤＥＭＵＸ部４０５では、渡されたストリームに対してＤＥＭＵＸ処理を行い、符号化されたオーディオ情報、ビデオ情報及びテキスト情報に分離される（処理４１６）。次に、符号化されたオーディオ情報は、ＤＥＭＵＸ部４０５からオーディオデコード部４０４へ渡され（４１７）、オーディオデコードが行われる（処理４１８）。復号されたオーディオ情報は音出力部へ渡され音データとして出力される（処理４１９）。また、符号化されたテキスト情報はテキストデコードが行われる。この時、前記処理４１５にてビデオデコード抑止指定がＤＥＭＵＸ部４０５へは渡されているので、上記フローで説明したＤＥＭＵＸ部４０５からビデオデコード部４０４への情報転送は抑止され、ビデオのデコード処理を行わないようにすることが可能である。その結果、ビデオ情報のデコード処理は行わないことにより、ビデオデコードに要する消費電力を低減することが可能となる。
【００３４】
上述の通り、動画再生中でも、例えば、筐体を閉じた際に発生する割り込みを要因として、ビデオデコード処理の機能をｏｆｆにすることができ、ビデオ情報のデコード処理は行わないことにより、ビデオデコードに要する消費電力を低減することが可能となる。
【実施例４】
【００３５】
実施例４を説明する。第一から第三の実施例は、ビデオ情報のデコード処理のｏｎ／ｏｆｆ設定であったが、オーディオ情報やテキスト情報のデコード処理のｏｎ／ｏｆｆ設定としても良い。さらに、デコード機能ｏｎ／ｏｆｆ設定において、起動条件は筐体の開閉で行っても良いし、設定機能に割り当てた任意のキーを押下することでも良い。そこで、図５を用いて、動画再生開始時、或いは、動画再生途中における、デコード機能ｏｎ／ｏｆｆ制御のデコード対象設定、及び、ｏｎ／ｏｆｆ制御を行う起動条件の設定を、動画再生端末の利用者が設定できる第四の実施例について説明する。
【００３６】
本実施例の機能における表示部での表示例を５０１、５０２、５０３に示す。５０１は本実施例の機能の設定状態一覧画面、５０２はデコード対象設定画面、５０３はデコードｏｎ／ｏｆｆ機能の起動条件設定画面である。
【００３７】
設定状態一覧画面５０１は、本実施例の機能の設定状態の一覧を表示しており、『マルチメディア省電力モード一覧』と題して画面上部に表示されている。省電力モードの数は、Ａモード、Ｂモード、Ｃモードと三つの例を書いているが、それ以上でも以下でも良い。各々のモードでは、ビデオ、テキスト、オーディオのデコードの有無が表示されており、それぞれ、ＡモードはＯＮ、ＯＮ、ＯＮ（５０１１）、ＢモードはＯＦＦ、ＯＦＦ、ＯＮ（５０１２）、ＣモードはＯＮ、ＯＮ、ＯＦＦ（５０１３）と設定してある。例えば、Ａモードは通常状態であり、省電力を考慮に入れない設定になっており、Ｂモードは動画再生端末を閉じた状態でビデオ情報とテキスト情報のデコードは行わず、オーディオ情報だけを出力する設定になっており、Ｃモードでは図書館などでの静かにする必要がある場所でのマナーモード設定であり、ビデオ情報とテキスト情報のデコードは行うが、オーディオ情報のデコードは行わないものである。
【００３８】
これらの設定は、購入時点（初期設定状態）では全てがＯＮに設定してある。また本画面からは、デコード対象設定画面５０２やデコードｏｎ／ｏｆｆ機能の起動条件設定画面５０３に移行できるものとし、各々図示しないソフトキーレフトと図示しないソフトキーライトに割り当てている。例えば、画面下部左側には『デコード対象設定』５０１４、画面下部右側には『起動条件設定』５０１５と表示している。設定状態一覧画面５０１では、Ｂモードにカーソルにより選択されている例を示している。また、図示しない上下キーで、カーソルを動かすことが可能である。
【００３９】
設定状態一覧画面５０１からソフトキーレフト（５０１４選択）押下により、デコード対象設定画面５０２に移行する。５０２はデコード対象設定画面であり、『マルチメディア省電力モード一覧  デコード対象設定』と画面上部に表示してあり、Ｂモードでのデコード対象を設定することができる。まず、現在設定の設定状態が５０１２で表示されていた設定通りに、上から順に、ビデオはＯＦＦ、テキストはＯＦＦ、オーディオはＯＮと表示されている。本画面からは、各々の情報に対するデコードのｏｎ／ｏｆｆ設定が可能となっており、表示しないソフトキーライトには『詳細設定』５０２４が割り当ててあり、詳細設定に移行して、ｏｎ／ｏｆｆの設定を行うものとする。また表示しないソフトキーレフトには『確定』５０２５が割り当ててあり、詳細設定で設定した設定内容を確定する際に用いることとする。
【００４０】
デコード対象設定画面５０２では、ビデオ情報のデコードｏｎ／ｏｆｆに関する設定にカーソル５０２１が当たっており、ここでソフトキーライト押下（５０２４選択）により、ストリーム中にビデオ情報が存在する場合の、符号化されたビデオ情報に対するビデオデコードを行うかどうかの詳細設定が可能である。また、デコード対象設定画面５０２における上下キー押下でカーソルを上下することが可能であり、テキスト情報のデコードｏｎ／ｏｆｆに関する設定５０２２及びオーディオ情報のデコードｏｎ／ｏｆｆに関する設定５０２３が可能である。
【００４１】
各々の情報に対するデコードｏｎ／ｏｆｆ設定が終了した後にソフトキーレフト押下（５０２５選択）により、設定状態を『確定』し、設定状態一覧画面５０１に戻ることが可能である。
【００４２】
設定状態一覧画面５０１からソフトキーライト押下（５０１５選択）により、デコードｏｎ／ｏｆｆ機能の起動条件設定画面５０３に移行する。５０３はデコードｏｎ／ｏｆｆ機能の起動条件を設定することが可能であり、『マルチメディア省電力モード一覧  起動条件設定』と画面上部に表示してある。本画面例では、設定者に設定モードが分かり易くするように、Ｂモードでのデコード対象設定を５０３０に表示してある。表示例では、Ｂモードでの起動条件設定を行うことができる。
【００４３】
起動条件設定としては、例えば、デコードを抑止する機能に割り当てるキー設定５０３１や、イヤホンの挿入有無５０３２や、筐体が開閉できる動画再生端末における筐体の開閉時の設定５０３３や、動画ストリームの再生を開始させてからの経過時間であるタイマー時間設定５０３４などが挙げられる。さらに、各々の条件が全て満たす事とするのか、任意の組み合わせが満たせば良いとするのか等の設定も、『ＯＲ』や『ＡＮＤ』での表現で可能とする。例えば、デコードｏｎ／ｏｆｆ機能の起動条件設定画面５０３においては、キーは『＊キー長押し』で『ＯＲ』となっており、イヤホンは『挿入』で『ＡＮＤ』となっており、筐体開閉は『クローズ時』で『ＯＲ』となっており、タイマーは未設定となっている。よって、イヤホンが挿入されている条件は必須であり、その状態で＊キーの長押しか、或いは、筐体クローズ時にのみ、Ｂモードに移行し、ビデオ情報とテキスト情報はデコードせずに、オーディオ情報のみデコードする状態に移行することを示している。
【００４４】
本画面からは、各々の情報に対するキーの設定や筐体開閉の選択等の詳細設定が可能となっており、表示せざるソフトキーライトには『詳細設定』５０３５を割り当てており、詳細設定に移行して、各々の諸設定やＡＮＤ／ＯＲの選択などを行うものとする。また表示せざるソフトキーレフトには『確定』５０３６を割り当てており、詳細設定で設定した設定内容を確定する際に用いることとする。
【００４５】
デコードｏｎ／ｏｆｆ機能の起動条件設定画面５０３では、キーの詳細設定が選択されており５０３１、ここでソフトキーライト押下（５０３５選択）により、デコードを抑止する機能に割り当てるキーの設定や、ＡＮＤ／ＯＲの選択が可能である。また、デコードｏｎ／ｏｆｆ機能の起動条件設定画面５０３における上下キー押下でカーソルを上下することが可能であり、各々の起動条件設定にカーソルを当て、詳細設定を行うことが可能である。各々の起動条件設定が終了した後に、ソフトキーレフト押下（５０３６選択）により、設定状態を『確定』し、設定状態一覧画面５０１に戻ることが可能である。
【００４６】
上述の通り、デコード機能ｏｎ／ｏｆｆ制御のデコード対象設定、及び、ｏｎ／ｏｆｆ制御を行う起動条件の設定を、動画再生端末の利用者が容易に設定できることにより、バリエーション豊かな消費電力の管理が可能である。
【実施例５】
【００４７】
実施例５を説明する。図６を用いて、ビデオデコードの対象となるピクチャーにおいて、デコード処理がそのピクチャーの符号化情報のみを元に復元できるピクチャーではない場合は、表示部にデコード後のビデオ画面を表示せずに、事前に設定してある文字列を表示する第五の実施例について説明する。
【００４８】
図６は各々のブロック毎の処理状況であり、横軸が経過時間、縦軸は上から順に、ビデオデコードの対象となるピクチャーの種類を表わすビデオデータ種類（６０１）、ビデオデータ種類に対するビデオデコード処理の有無（６０２）、テキストデコード処理の有無（６０３）、オーディオデコード処理の有無（６０４）、入力部からの割込み発生状況（６０５）、表示部での出力（６０６）、音声出力部での出力（６０７）である。
【００４９】
まず、再生するストリームは、符号化されたオーディオ情報やビデオ情報やテキスト情報がＭＵＸ処理されたものであるとする。なお、ビデオ情報はＭＰＥＧ（Ｍｏｖｉｎｇ  Ｐｉｃｔｕｒｅ  Ｅｘｐｅｒｔｓ  Ｇｒｏｕｐ：動画等の標準規格の名称）とする。ここで、時刻ａよりも以前のビデオデータ種類はデコード処理がそのピクチャーの符号化情報のみを元に実現できるＩピクチャー（Ｉｎｔｒａ−Ｐｉｃｔｕｒｅ：静止画としての圧縮がされる画面。自画面内の情報のみで圧縮し、時間的に前後する他の画面の相関情報を用いない）であり、ビデオ、テキスト、オーディオのデコード処理は行われ、表示部にはビデオとテキストが表示され、音出力部からは音が出力されている。時刻ａから時刻ｂまでの間は、ビデオデータ種類は予測符号化ピクチャーであるＰピクチャー（Ｐｒｅｄｉｃｔｉｖｅ−Ｐｉｃｔｕｒｅ：時間的に過去の画面からの相関情報で表わされる画面。参照する画面はＩピクチャーでもＰピクチャーでも良く、情報量はＩピクチャーよりも少なくなる）であり、ビデオデータ種類がＩピクチャーの場合と同様に、ビデオ、テキスト、オーディオのデコード処理は行われ、表示部にはビデオが表示され、音出力部からは音が出力されている。
【００５０】
次に時刻ｂにおいて、入力部から例えば図５におけるＢモードの省電力ＯＮの割込みが発生するとビデオとテキストのデコード抑止モードに切り換わり、ビデオとテキストのデコード処理は行われなくなる。またオーディオ情報に関しては、時刻ａ以前と同様に、継続してデコード処理が行われる。また表示部には何も表示されず、音出力部からは音が出力される。
【００５１】
次に時刻ｃにおいて、入力部か省電力ＯＦＦの割込み、或いは、図５におけるＡモードの省電力ＯＮの割込みが発生するとビデオ、テキスト、オーディオ情報全てをデコードするモードに戻る。ここで、ビデオデータ種類はＰピクチャーであるので、ビデオデコードを行っても、表示すべき画面は完全には復元できないので、事前に設定した『準備中』などの文字列とデコードしたテキスト情報を表示する。ここで、完全には復元されてはいないが、デコード後の画面を表示するようにしても良い。また、ビデオデータ種類において、Ｉピクチャーが来るまでは、ビデオデコードを行わないようにしても良い。さらに、映像が完全に復元できるまではビデオ情報テキスト情報もデコードしないようにしても良い。なお、時刻ｃ以降もオーディオ情報のデコード処理は継続して行われており、音出力部からは音が出力されている。次に時刻ｄにおいて、ビデオデータ種類がＩピクチャーになるので、ビデオデコードを行うと、表示すべき画面が完全に復元できることになる。よって、表示部にはビデオとテキストが表示される。
【００５２】
尚、本実施例では、『準備中』の文字列を表示したが、事前に設定した画像を表示することもできる。
【００５３】
上記、各々のブロック毎の処理状況により、ビデオデコードの対象となるピクチャーにおいて、デコード処理がそのピクチャーの符号化情報のみを元に復元できるピクチャーではない場合は、表示部にデコード後のビデオ画面を表示せずに、事前に設定してある画像もしくは文字列を表示することが可能となる。また、その際、オーディオのデコード、及び、音の出力は継続して行われており、不自然な画面を表示しない動画再生端末を提供することができる。
【実施例６】
【００５４】
実施例６を説明する。図１と図７を用いて、符号化されたビデオ情報を含むストリームは、動画再生端末内部メモリではなく、動画再生端末外部から入手する第六の実施例について説明する。図７は、本発明機能を実現する動画再生端末７０１であり、図１と若干のブロック構成を変更して得られるブロック図であり、７０１内の各ブロックに電力を供給する電源部７０２、プログラムコードなどが格納されている記憶部７０４、入力部からの割り込みを判断しビデオデコードの制御や、動画再生端末外から入力した情報を内部で処理する等のベースバンド処理を行う制御部７０５、動画再生端末外部から前記符号化されたビデオ情報を含むストリームを動画再生端末内７０１に取込むアンテナ７１３、アンテナ７１３からの前記符号化されたビデオ情報を含むストリームを制御部７０４に渡す通信部７１３、それ以外は図１で説明したブロックと同様の物で構成されている。
【００５５】
例えば、情報を入手する元は、地上波デジタル放送でも良いし、ストリーミングサービスにより提供される通信でも良いし、ライブカメラサービスにより提供される通信でも良い。まず、図示せざる基地局からは、符号化されたオーディオ情報やビデオ情報やテキスト情報がＭＵＸ処理されたストリームが送られてきており、アンテナ７１３を介して、動画再生端末７０１内に取込まれ、通信部７１３へ渡される。通信部７１３では、渡された前記ストリームが、動画再生端末７０１内で利用できるデータへ変換され制御部７０４へ渡される。
【００５６】
入力部１０３から制御部７０５へ、ストリームを再生する入力が行われると、制御部７０５は前記ストリームをＤＥＭＵＸ部１０６に渡し、符号化されたオーディオ情報と、符号化されたビデオ情報と、符号化されたテキスト情報を得る。デコードｏｎ／ｏｆｆ機能１０７は入力部１０３からの様々な入力に対して制御部７０５が判断し、ｏｎとｏｆｆを切りかえることが可能であり、ｏｎの場合には、前記、符号化されたビデオ情報はビデオデコード部１０８に渡され復号され、再生可能なビデオ画面となり制御部７０５に渡される。ここで、デコードｏｎ／ｏｆｆ機能１０７がｏｆｆの場合には、再生を行いたいストリーム中にビデオ情報が存在する場合でも、ビデオデコードは行われず、ビデオデコードに要する消費電力を低減することが可能となる。
【００５７】
また、デコードｏｎ／ｏｆｆ機能１０７の状態に関わらず、符号化されたテキスト情報は、制御部７０５からテキストデコード部１１０へ渡され復号され、制御部７０５へ渡される。ここで、デコードｏｎ／ｏｆｆ機能１０７がｏｎの場合には、ビデオデコード部１０８で復号されたビデオデータと、前記復号されたビデオ情報は制御部７０５で合成され、一枚の画像として表示部１０９から表示される。一方、前記、復号されたオーディオ情報は、オーディオデコード部１１１で復号され、制御部７０５に渡される。その後、復号されたオーディオ情報は制御部７０５から音出力部１１２へ渡され、出力される。
【００５８】
上述の通り、本発明により、地上波デジタルサービスにより提供される電波を受信する装置装置を保持する動画再生端末において、再生する符号化ストリーム中にビデオ情報が存在する場合にも、ビデオのデコード処理は行わないことにより、ビデオデコードに要する消費電力を低減することが可能となる。
【００５９】
また、基地局からのストリームをダウンロードするサービスにおいて、基地局からのストリームを受信する際、デコードｏｎ／ｏｆｆ機能によるｏｆｆ状態であっても、ストリームの一部、若しくは、全体をデコードせずに記憶部に保持しておくこともできる。その場合は、入力部からの割込みによりストリームの再生を行う。本発明により、ストリームを動画再生端末内に保持できる機能を提供することが可能となる。ここで、保持するストリームは、動画再生端末に内蔵された記憶部に限らず、外付けメモリなどであっても良い。
【００６０】
なお、以上の実施例の説明では、ビデオのデコード処理は行わないことにより、ビデオデコードに要する消費電力を低減することが可能と説明したが、電源部からビデオデコード部への電力供給を制御部の制御により制限することにより、さらに消費電力を低減することが可能である。また、上記ビデオ情報のデコード処理のｏｎ／ｏｆｆ設定による省電力化を説明したが、更に、オーディオ情報やテキスト情報のデコード処理のｏｎ／ｏｆｆ設定により省電力化を図っても良い。
【００６１】
なお、実施例１〜７では、テキストデコード部でのテキスト情報のデコードを行うが、ビデオデコード部でのビデオ情報のデコードを行わない例であったが、ビデオデコード部でのビデオ情報のデコードを行うが、オーディオデコード部でのオーディオ情報のデコードを行わないようにすることも可能である。これにより、消費電力の低減を図るとともに、静粛が求められる場所でも、映像のみ見たい場合等に使用できる。
【００６２】
本発明によれば、動画再生機能を持つ動画再生装置において、再生する符号化ストリーム中にビデオ情報等が存在する場合に、ビデオのデコード処理等を行わないことにより、ビデオデコード等に要する消費電力を低減することが可能な省電力機能付携帯用動画再生装置を提供できる。また、動画再生中でも、例えば、筐体を閉じた際に発生する割り込みを要因として、ビデオデコード処理等の機能をｏｆｆにすることができ、ビデオデコード等に要する消費電力を低減することが可能な省電力機能付携帯用動画再生装置を得ることができる。
【００６３】
すなわち、映像は見ないが音声を聴くようなとき、例えば電車内でイヤホンを付けてＴＶ番組を視聴していた場合、電車を乗り換える際には携帯端末を一旦閉じることとなるが、この場合にはビデオデコードのみを停止してオーディオデコードは継続することで、駅のホームを歩きながらＴＶ番組の音声を継続して聴くという使い方が可能となる。また、ＴＶ番組を視聴しているときにメールを受信した場合に、メールを確認している間はビデオデコードのみを停止してオーディオデコードは継続することで、メールを読んでいる間にも継続して音声を聴いたり、返信メールを作成している間にも継続して音声を聴いたりすることが可能となる。また、同様にＷＥＢページを閲覧する場合にも同様に有用である。また、バッテリ残量が少なくなり、警告が出て残り視聴時間がわずかになったと判断されたときは、ビデオデコードを停止してオーディオデコードのみを行うことで、ＴＶ音声を継続して聴くことが可能となる。スポーツ中継、ニュース番組のように、音声があれば内容を理解できる放送等に特に有用である。
【００６４】
本発明においては、デコード機能ｏｎ／ｏｆｆ制御のデコード対象設定、及び、ｏｎ／ｏｆｆ制御を行う起動条件の設定を、動画再生端末の利用者が容易に設定できることにより、バリエーション豊かな消費電力の管理が可能な省電力機能付携帯用動画再生装置を得ることができる。
【図面の簡単な説明】
【００６５】
【図１】実施例１における動画再生端末のブロック図。
【図２】実施例２における動画再生端末のブロック図。
【図３】デコード種類毎の消費電力模式図。
【図４】実施例３における各ブロック毎の処理フローの一例の説明図。
【図５】実施例４における表示部での表示の一例の説明図。
【図６】実施例５における各ブロック毎の処理状況の一例の説明図。
【図７】実施例６における動画再生端末のブロック図。
【符号の説明】
【００６６】
１０１、２０１、７０１…動画再生端末
１０２、２０２、７０２…電源部
１０３…入力部
１０４、７０４…記憶部
１０５、２０５、７０５…制御部
１０６、２０６…ＤＥＭＵＸ部
１０７、２０７…デコードｏｎ／ｏｆｆ機能
１０８…ビデオデコード部
１０９…表示部
１１０、２１０…テキストデコード部
１１１、２１…オーディオデコード部
１１２…音出力部
２１３…画像合成部
２１４…音合成部
５０１…設定状態一覧画面
５０２…デコード対象設定画面
５０３…起動条件設定画面
７１３…アンテナ
７１４…通信部
【図１】
2005252375.tif 000003
【図２】
2005252375.tif 000004
【図３】
2005252375.tif 000005
【図４】
2005252375.tif 000006
【図５】
2005252375.tif 000007
【図６】
2005252375.tif 000008
【図７】
2005252375.tif 000009